(57)【特許請求の範囲】
【請求項１】
電気的なコンポーネントが組み込まれる据え付けケーシングであって、壁に底（１１）でねじ止め可能なベース部分（１０）を有し、２つの側壁（４３）と１つの底壁（４１）と１つの天井壁（４８）とで据え付け室を取囲むフード状のカバー（４０）が、前記ベース部分（１０）にかぶせはめ可能である形式のものにおいて、前記ベース部分（１０）の前記底（１１）から前記カバー（４０）に向かって突出し、該カバー（４０）を前記ベース部分（１０）に支える単数又は複数の支材（２０）が固定される縁折り曲げ部（１２、１３）が前記ベース部分（１０）の前記底（１１）に設けられており、前記支材（２０）が電気的なコンポーネントを前記据え付け室内に向けて固定する複数の固定受容部（２６）を備えた組み立て区分（２１）を有しており、前記ベース部分（１０）の水平方向の前記縁折り曲げ部（１３）と、これに向き合った前記底壁（４１）又は天井壁（４８）とが切欠き（１３、２、４２）を備えており、この切欠き（１３、２、４２）内にブラシ条片（１４、１）が配置され、該ブラシ条片（１４、１）が、当該据え付けケーシングが取付けられる壁に近いケーブル導入部を形成していることを特徴とする、電気的なコンポーネントが組み込まれる据え付けケーシング。
【請求項２】
前記支材（２０）の前記組み立て区分（２１）が、前記カバー（４０）の前記側壁（４３）に対し間隔をおいて、これに対し平行に配置された壁として構成されており、該組み立て区分（２１）が少なくとも１つのケーブル貫通部（２２）を備えており、前記組み立て区分（２１）と前記カバー（４０）の前記側壁（４３）との間に形成されたケーブルシャフトからケーブルが、前記ケーブル貫通部（２２）を通って前記据え付け室へ導入されており、前記組み立て区分（２１）の互いに向き合った側に、電気的なコンポーネントから成る構成群を保持する構成群保持体（３０）が取付けられており、該構成群保持体（３０）が所定のピッチ間隔で列を成して配置された固定受容部（３５）を前記構成群のために備えている、請求項１記載の据え付けケーシング。
【請求項３】
前記構成群保持体（３０）が前記支材（２０）の前記組み立て区分（２１）に２つの取り付け位置で固定可能であり、両方の前記構成群保持体（３０）の前記固定受容部（３５）の間の水平方向の間隔がメートル寸法での構造群組み込み又はインチ寸法での構造群組み込みに選択的に適合可能である、請求項１又は２記載の据え付けケーシング。
【請求項４】
前記カバー（４０）の前記側壁（４３）が、当該据え付けケーシングの内方へ向けられた水平な固定フランジ（４３、２）を備えかつ前記カバー（４０）の前記底壁（４１）と前記天井壁（４８）とが同様に当該据え付けケーシングの内方へ向けられた水平な固定フランジ（４１、１、４１、２）を備え、前記底壁（４１）と前記天井壁（４８）との前記水平な固定フランジ（４１、１、４１、２）が前記側壁（４３）の前記固定フランジ（４３、２）に接触させられ、当該据え付けケーシング内で互いにねじで結合されている、請求項１から３までのいずれか１項記載の据え付けケーシング。
【請求項５】
前記カバー（４０）が錠（４４）を有し、該錠（４４）が前記カバー（４０）を前記ベース部分（１０）に固定するために前記ベース部分（１０）又は前記支材（２０）の閉鎖エレメント（１２、１）と協働する、請求項１から４までのいずれか１項記載の据え付けケーシング。
【請求項６】
前記カバー（４０）が、前記ベース部分（１０）とは反対の正面側でドア（５０）によって閉鎖可能であり、該ドア（５０）の一方の側部が前記カバー（４０）の一方の側部にヒンジ部分（６０、６０、１）を介して枢着されており、前記ドア（５０）の他方の側部が閉鎖部材（４６、５２）を介して、前記カバー（４０）の他方の側部にて閉鎖可能である、請求項１から５までのいずれか１項記載の据え付けケーシング。
【発明の詳細な説明】
【０００１】
本発明は、電気的なコンポーネントを組み込むための、壁に固定される据え付けケーシングであって、ベース部分を有し、このベース部分は底を壁にねじ止め可能であり、その際ベース部分にフード状のカバーがかぶせはめ可能であり、このカバーは２つの側壁と、１つの底壁と、１つの天井壁とをもって据え付け室を取り囲む形式のものに関する。
【０００２】
このような据え付けケーシングは DE 44 10 795 C1 から公知である。この場合ベース部分として金属薄板折り曲げ部品が使用され、これは壁に対して平行に整向された底を有している。この底は複数の固定受容部を備えており、これらの固定受容部に電気的な組み込み体を固定し、互いに導線で接続することができる。これらの組み込み体を据え付けた後に、据え付けケーシングをカバーで閉鎖することができる。このためにフード状のカバーはベース部分にかぶせはめられて、ベース部分に固定される。
【０００３】
本発明の課題は、使用可能な据え付け室を組み込み体により良好に利用することのできる最初に述べた形式の壁に取り付け可能な据え付けケーシングを提供することである。
【０００４】
この課題は、ベース部分に単数又は複数の支材が固定可能であり、この支材はベース部分の底からカバーの方向に突出して、カバーをベース部分に支え、かつ支材が組み立て区分を有しており、この組み立て区分は複数の固定受容部を備えており、これらの固定受容部に、据え付け室に向いて、組み込み体が固定可能であるようにすることによって、解決される。
【０００５】
支材には組み込み体を、ベース部分の底に対して間隔をおいて固定することができる。これによって使用可能な据え付け室は据え付けケーシングの深さの方向でも組み込み体を装着することができる。これによって一面では、据え付けケーシングの可変の装備を達成することができる。他面では、見通しのきく導線による接続も可能である。
【０００６】
本発明の有利な１実施形態では、底が少なくとも１つの側方の折り曲げ部を有しており、この折り曲げ部にブラシ条片が取り付けられており、このブラシ条片と、カバーの、ベース部分に向いた縁範囲とが、壁に近いケーブル導入部を形成している。
【０００７】
本発明による据え付けケーシングにおいては、例えば支材はベース部分の互いに向き合う２つの側において固定することができ、組み立て区分をもってベース部分から突出することができる。次いで両方の支材に、例えば、据え付け室の全幅にわたって横方向に延びる組み立てレールを固定することができる。特に、支材の組み立て区分に間接的又は直接的に、据え付け室の全幅にわたって延びるより大きな組み込み体を固定することも考えられる。据え付けケーシング内でケーブルをきちんと導くために、支材の組み立て区分が、所属の側壁に対して平行でかつ間隔をおいている壁として構成されており、組み立て区分が少なくとも１つのケーブル貫通部を備えており、このケーブル貫通部が据え付け室と、組み立て区分と側壁との間に形成されているケーブルシャフトとの間の空間的な接続部を形成しているようにすることができる。
【０００８】
据え付け室内に規格化された構造群支持体を組み込む場合には、有利には、ベース部分の互いに向き合う側に配属されている２つの支材が構造群支持体を有しており、これらの構造群支持体が、ピッチラスタで配置されている固定受容部の列を備えており、かつこれらの構造群支持体が選択的に２つの相互間隔に位置させることができ、その際一方の組み立て位置では、メートルの組み込み寸法を有する構造群が、かつ他方の組み立て位置ではインチの組み込み寸法を有する構造群が、両方の構造群支持体に固定可能であるようにすることができる。
【０００９】
カバーをベース部分に確実に固定するために、本発明の１実施形態では、支材が水平の折り曲げ部として構成された支持脚部を有しており、この支持脚部はベース部分の底に接触して、この底に解離可能に固定されており、支持脚部に組み立て区分が直角に接続しており、組み立て区分がその、支持脚部とは逆の側の端部に側方に折り曲げられた支持区分を有しており、これらの支持区分はカバーの方向に突出して、カバーの側壁の内壁面に接触し、カバーの側壁を組み立て区分に対して平行に支え、かつ支材がその、ベース部分とは逆の側の端面をもって、カバーを組み立て区分に対して垂直に支えている。支持区分はカバーを壁に対して平行な方向に支えることを可能にする。
【００１０】
カバーの簡単で安定した構造を達成するために、本発明による据え付けケーシングは次のように構成されている。すなわち、カバーの側壁が水平の固定フランジを備えており、底壁及び天井壁がやはり水平の固定フランジを備えており、これらの固定フランジは側壁の固定フランジに接触しており、かつこれらの固定フランジがケーシング内に向けられていて、ケーシング内で互いにねじ結合されている。
【００１１】
カバーを簡単にかつ工具なしにベース部分に固定し得るようにするために、カバーが少なくとも１つの錠を有しており、この錠は、カバーをベース部分に固定するために、ベース部分又は支材の閉鎖エレメントと協働するようにすることができる。カバーは、そのベース部分とは逆の側の正面側を、カバーの一方の側の範囲に枢着されているドアで閉鎖可能にすることができる。このドアを介して、据え付け室はカバーを取り付けた状態で接近可能にすることができる。特に、ドアはのぞき窓を備えることもでき、こののぞき窓を通して、運転状態を監視するための表示エレメントを読み取ることができる。
【００１２】
以下においては図面に示した実施例によって本発明をより詳細に説明する。
【００１３】
図１において、鉛直の壁に取り付けることのできるベース部分１０が示されている。このベース部分１０は鉛直の底１１を有しており、この底に折り曲げ部１２，１３が直角に接続している。水平に延びる折り曲げ部１３にはブラシ条片１４．１が固定されている。ブラシ条片１４．１は成形条片１４．２を備えており、この成形条片は成形縦方向に延びるスリットを有している。このスリットにより成形条片１４．２を折り曲げ部１３の縁部１３．１にかぶせはめることができる。折り曲げ部１２に向いた移行範囲において、折り曲げ部１３は傾斜部１３．２を有している。傾斜部１３．２と折り曲げ部１２との間で、底１１に対して垂直の方向にスリット１５が延びている。図１の右側の折り曲げ部１２において認められるように、据え付け室に向いた保持部１２．２、この場合ねじボルト、が折り曲げ部１２に固定されている。これらの保持部には組み立てレールを固定することができる。両方の保持部１２．２の間の中間において折り曲げ部は閉鎖エレメント１２．１を支持している。
【００１４】
ベース部分１０を壁に固定するために、底１１に固定受容部１１．２，１１．３が形成されている。これらの固定受容部を通して固定ねじを挿入し、壁内にねじ込むことができる。組み立てプレートを底１１に対して平行にベース部分１０に固定し得るようにするために、底１１の平面から直角に延びるねじボルト１１．１が設けられている。側方の折り曲げ部１２の範囲には、それぞれ４つの別のねじボルト１１．４，１１．５が底１１上に固定されている。これらのねじボルト１１．４，１１．５は支材２０を固定するために役立つ。支材２０は金属薄板切断片からの打ち抜き折り曲げ部品として製作されている。これらの支材は底１１に対して平行に延びる支持脚部２３を有しており、この支持脚部は折り曲げ部として組み立て区分２１から折り曲げられている。組み立て区分２１は平らな壁として構成されていて、複数の列の固定受容部２６を備えている。組み立て区分２１の水平の縁部には支持区分２５が接続しており、これらの支持区分は組み立て区分２１から一体に折り曲げられている。この場合支持区分２５は底１１から組み立て区分２１の自由端部にまで延びている。
【００１５】
支材２０の支持脚部２３は２つの孔２８を備えている。これらの孔２８によって支材２０はねじボルト１１．４，１１．５にかぶせはめることができる。この場合、図１に示すように、支材２０は選択的に両方のねじボルト対の一方１１．４又は１１．５に固定することができる。これにしたがって、組み立て区分２１も異なった組み立て位置において折り曲げ部１２に対して異なった間隔を有している。両方の支材２０が折り曲げ部１２の近くに固定されると、支材２０の両方の組み立て区分２１も互いに大きく離される。この大きな間隔においては、メートル寸法を有する構造群を構造群支持体３０に固定することができる。構造群支持体３０は成形区分として構成されていて、互いに直角になっている２つの脚部３１，３２を有している。この場合脚部３１は組み立て区分２１上に面状に接触している。脚部３１には長孔３３が形成されており、これらの長孔は組み立て区分２１の固定受容部２６に対して同一ピッチに配置しておくことができる。構造群支持体３０を固定するためには、固定ねじ３４が長孔３３内に挿入されて、固定受容部２６内にねじ込まれる。この場合構造群支持体３０は、固定受容部２６のラスタのピッチに相応して、据え付けケーシングの深さ方向で種々の位置に可変に固定することができる。
【００１６】
構造群支持体３０は据え付けケーシングの深さ方向で長孔３３によって無段階に調節することもできる。
【００１７】
組み立て区分２１に対して直角に配置されている脚部３２は、正方形の透し孔として脚部３２から打ち抜かれたやはり１列の固定受容部３５を有している。固定受容部３５には構造群を固定することができる。メートル寸法の構造群の代わりにインチ寸法の構造群を組み込む場合には、支材２０をずらさなければならない。このために支持脚部２３はねじボルト１１．５にねじ止めされる。これに相応して、支材２０は今や小さな相互間隔を有している。この間隔は構造群のインチ寸法に相応している。
【００１８】
脚部３１には狭いウェブ３６を介して固定付加部３７が接続している。この固定付加部３７は取り付けエレメントを固定するための固定受容部３７．１を有している。
【００１９】
図２に示すように、ベース部分１０にカバー４０をかぶせはめることができる。カバー４０はフード状に構成されていて、２つの側壁４３と、１つの底壁４１と、１つの天井壁４８とを有している。側壁４３、底壁４１及び天井壁４８は正面側で折り曲げられた縁部４３．１，４１．１で終わっている。右側の側壁４３の鉛直に延びる縁部４３．１にはドア５０を枢着しておくことができる。ドア５０はドア枠５１を有しており、このドア枠内に窓５３が取り付けられている。ドア５０を固定するために、ヒンジ保持部４７が使用されている。
【００２０】
図２においては２つの詳細図によってヒンジの構成が詳細に示されている。これらの詳細図からスリット４７．１としてのヒンジ保持部４７を認めることができる。スリット４７．１は中央をねじ受容部４７．２によって拡大されている。ヒンジはその第１のヒンジ部分６０．１をドア枠５１に固定される。ドア枠５１は横断面において互いに平行な２つの脚部５１．１，５１．３を有しており、これらの脚部は結合区分５１．２を介して互いに結合されている。ヒンジ部分６０．１は脚部５１．３に溶接固定されている。第２のヒンジ部分６０はヒンジピンを介して第１のヒンジ部分６０．１と結合されている。ヒンジピンに続いて第２のヒンジ部分６０はスペーサ片６０．２を有している。このスペーサ片６０．２は脚部５１．３に沿って導かれている。スペーサ片６０．２に続いて第２のヒンジ部分６０は直角の折り曲げ部を有しており、この折り曲げ部は固定区分６０．３に移行している。固定区分６０．３はスペーサ片６０．２に対して平行に延びている。
【００２１】
両方の平行に延びる側において、固定区分６０．３は挿入傾斜部６０．４を備えている。これらの挿入傾斜部６０．４は固定区分６０．３のスリット４７．１内への刺し通しを容易にする。固定区分６０．３がスリット４７．１内に差し込まれると、固定区分は縁部４３．１の背面に接触する。固定区分６０．３のねじ受容部内にはねじ６０．５が挿入されている。このねじ６０．５はねじ受容部４７．２に打ち当たる。ヒンジを固定するために、ねじ６０．５が縁部４３．１の方向に調節せしめられ、そのねじ頭部が縁部に緊定する。
【００２２】
カバー４０とドア５０とから成るユニットは支材２０上に沿ってベース部分１０にかぶせはめることができる。この場合側壁４３は折り曲げ部１２にかぶさる。カバー４０をかぶせはめる際に底壁及び天井壁４８は折り曲げ部４９をもってスリット１５を貫通する。これにより底壁４１若しくは天井壁４８は折り曲げ部１３の内面に接触する。カバー４０を固定するために、両方の側壁４３に錠４４が設けられている。これらの錠４４はフックエレメントを有しており、これらのフックエレメントは閉鎖エレメント１２．１（図１を見よ）の背後に回すことができる。かぶせはめられたカバー４０は内面を支材２０の支持区分２５に接触させる。支持区分２５はカバーを底壁４１若しくは天井壁４８の折り曲げ部４９の範囲で支える。支持区分２５が組み立て区分２１の全深さにわたって延びていることによって、カバー４０は簡単にかつ傾くことなしにかぶせはめることができる。
【００２３】
図３においては、大体において図２のカバー４０に相応しているカバー４０が示されている。図２のカバーと異なって、このカバーはスリット形のヒンジ保持部４７を有していない。その代わりに、孔４５がヒンジのために設けられている。図３から分かるように、側壁４３は孔４３．４を備えた水平の固定フランジ４３．２を有している。正面側において側壁から縁部４３．１が折り曲げられている。底壁４１及び天井壁４８はやはり水平の固定フランジ４１．２を有している。これらの固定フランジ上に植え込みボルト４１．３が取り付けられている。正面側において底壁４１若しくは天井壁４８は縁部４１．１で終わっている。底壁４１及び天井壁４８は同一に構成されている。また両方の側壁４３も同一に構成されている。
【００２４】
カバーを組み立てるために、側壁４３の固定フランジ４３．２が底壁４１若しくは天井壁４８の固定フランジ４１．２に重ねられる。この場合植え込みボルト４１．３は孔４３．４を貫通する。固定のためにナットが植え込みボルト４１．３にねじはめられる。
【図面の簡単な説明】
【図１】  ２つの支材が取り付けられるベース部分の斜視側面図である。
【図２】  図１のベース部分を有する据え付けケーシングの分解図である。
【図３】  図２の据え付けケーシングのためのカバーの分解斜視図である。
【符号の説明】
１０  ベース部分、  １１  底、  １１．１  ねじボルト、  １１．２  固定受容部、  １１．３  固定受容部、  １１．４  ねじボルト、  １１．５  ねじボルト、  １２  折り曲げ部、  １２．１  閉鎖エレメント、  １２．２  保持部、  １３  折り曲げ部、  １３．１  縁部、  １３．２  傾斜部、  １４．１  ブラシ条片、  １４．２  成形条片、  １５  スリット、  ２０  支材、  ２１  組み立て区分、  ２２  ケーブル貫通部、  ２３  支持脚部、  ２５  支持区分、  ２６  固定受容部、  ２８  孔、  ３０  構造群支持体、  ３１  脚部、  ３２  脚部、  ３３  長孔、  ３４  固定ねじ、  ３５  固定受容部、  ３６  ウェブ、  ３７  固定付加部、  ３７．１  固定受容部、  ４０  カバー、  ４１  底壁、  ４１．１  縁部、  ４１．２  固定フランジ、  ４１．３  植え込みボルト、  ４３  側壁、  ４３．１  縁部、  ４３．２  固定フランジ、  ４３．４  孔、  ４４  錠、  ４５  孔、  ４７  ヒンジ保持部、  ４７．１  スリット、  ４７．２  ねじ受容部、  ４８  天井壁、  ４９  折り曲げ部、  ５０  ドア、  ５１  ドア枠、  ５１．１  脚部、  ５１．２  結合区分、  ５１．３  脚部、  ５３  窓、  ６０  第２のヒンジ部分、  ６０．１  第１のヒンジ部分、  ６０．２  スペーサ片、  ６０．３  固定区分、  ６０．４  挿入傾斜部、  ６０．５  ねじ
【図１】
0003677451.tif 000002
【図２】
0003677451.tif 000003
【図３】
0003677451.tif 000004